(57)【要約】  ディスペンス用ノズル（１）は、（ｉ）ベース部分（３）およびディスペンス用末端（５）を有する細長いノズル本体（２）と、（ｉｉ）製品をベース部分（３）からディスペンス用末端（５）へと送出するためのノズル本体（２）内の内部導管（６）と、（ｉｉｉ）キャップ（１００）上の協働係合構造（８ａ、８ｂ）と相互係合して、キャップ（１００）をノズル（１）上に嵌め込む位置に保持するためのノズル上の係合構造と、（ｉｖ）ノズル本体（２）上にあって、キャップ（１００）上の協働部分（１１０）からの作用を受け、キャップ（１００）とノズル本体（２）との間に十分な相対的な分離力を提供し、キャップ上の係合構造（８ａ、８ｂ）とノズル（１）を相互係合位置から分離することができる外部傾斜面（９ａ、９ｂ）とを有する。キャップ（１）およびノズル（１００）は、相互係合した時に、３６０°の１回転より非常に小さい回転で容易に分離し、取り出される製品の硬化によって引き起こされる汚れまたは接着を克服することができる強力な分離力を提供する。
2007522047.tif 000002
【特許請求の範囲】
【請求項１】
（ｉ）ベース部分およびディスペンス用末端を有する細長いノズル本体と、
（ｉｉ）製品を前記ベース部分から前記ディスペンス用末端へと送出するためのノズル本体内の内部導管と、
（ｉｉｉ）キャップ上の協働係合構造と相互係合して、前記キャップをノズル上に嵌め込む位置に保持するためのノズル上の係合構造と、
（ｉｖ）前記ノズル本体上にあって、前記キャップ上の協働部分からの作用を受け、前記キャップと前記ノズル本体との間に十分な相対的な分離力を提供し、前記キャップ上の係合構造および前記ノズルを相互係合位置から分離することができる外部傾斜面と
を備えるディスペンス用ノズル。
【請求項２】
前記協働表面と外部傾斜面との分離力が、少なくとも一方向での前記キャップと前記ノズルの相対的な回転の作用によって提供される、請求項１に記載のノズル。
【請求項３】
前記傾斜面が、前記キャップの回転方向に対して斜めの傾斜表面を備える、請求項１または２に記載のノズル。
【請求項４】
前記協働表面と外部傾斜面との分離力が、２つの反対方向での前記キャップと前記ノズルの相対的な回転の作用によって提供される、前記請求項のいずれかに記載のノズル。
【請求項５】
前記傾斜面が、前記キャップの回転方向に対して斜めである２つの対向する傾斜表面を備える、請求項４に記載のノズル。
【請求項６】
分離を行うために必要な前記相対的な回転が、約９０°未満である、請求項２から５のいずれか一項に記載のノズル。
【請求項７】
分離を行うために必要な前記相対的な回転が、約８０°未満である、請求項２から６のいずれか一項に記載のノズル。
【請求項８】
分離を行うために必要な前記相対的な回転が、約６０°未満である、請求項２から７のいずれか一項に記載のノズル。
【請求項９】
前記傾斜面が、前記ノズル本体上に画定された外肩上の傾斜表面によって提供される、請求項２から８のいずれか一項に記載のノズル。
【請求項１０】
前記外肩が、異なる直径を有する前記ノズルの２つの部分を架橋する、前記ノズル上の架橋部分上に画定される、請求項９に記載のノズル。
【請求項１１】
前記肩が、前記ノズル本体の長手方向軸線の少なくとも一部の周囲に円周方向に配置された表面を提供する、請求項９または１０に記載のノズル。
【請求項１２】
前記表面の向きが、前記ノズル本体の長手方向軸線に対して実質的に横向きである、請求項１１に記載のノズル。
【請求項１３】
前記傾斜面が、第１部分および第２部分を持つ傾斜表面を備え、この第１部分および第２部分は、前記第１部分から前記第２部分へと前記傾斜面に沿って移動すると、所望の揚程を提供するように配置されている、前記請求項のいずれかに記載のノズル。
【請求項１４】
前記傾斜面が、その下端で接触するように配置された２つの対向する傾斜表面を備える、前記請求項のいずれかに記載のノズル。
【請求項１５】
前記傾斜面が、前記ノズルのキャップ上の協働部分の移動路を辿るように、前記ノズルの長手方向軸線の周囲で湾曲する、前記請求項のいずれかに記載のノズル。
【請求項１６】
前記傾斜面が、前記ノズル部分の壁部分から間隔を置いて、その周囲に延びる円周方向に配置された棟部分上に設けられている、前記請求項のいずれかに記載のノズル。
【請求項１７】
前記傾斜面が、係合解除位置と相互係合位置との両方で使用者に明瞭に見えるように配置されている、前記請求項のいずれかに記載のノズル。
【請求項１８】
前記ノズルが、押し込み嵌めの方法で、前記キャップと相互係合する、前記請求項のいずれかに記載のノズル。
【請求項１９】
前記ノズルが、スナップ嵌めの構成で、前記キャップと相互係合する、請求項１８に記載のノズル。
【請求項２０】
前記ノズルが、追加的に、捻り嵌めの構成で、前記キャップと相互係合する、請求項１８または１９に記載のノズル。
【請求項２１】
第１および第２傾斜面が、前記ノズル本体に沿って長手方向に間隔を空けて設けられている、前記請求項のいずれかに記載のノズル。
【請求項２２】
前記ノズル本体上のスナップ嵌め構造が、前記第１傾斜面と前記第２傾斜面との間で、前記ノズル本体上に配置されている、請求項２１に記載のノズル。
【請求項２３】
第１および第２傾斜面が、前記ノズル本体上に横向きに間隔を空けて設けられている、前記請求項のいずれかに記載のノズル。
【請求項２４】
前記第１および第２傾斜面が、前記ノズル上の肩に設けられている、請求項２１から２３のいずれか一項に記載のノズル。
【請求項２５】
前記キャップのさらなる協働部分が、前記第２傾斜面に対して作用するように配置されている、請求項２１から２４のいずれか一項に記載のノズル。
【請求項２６】
前記キャップ本体内部に沿って延びる長手方向の内部リブからの作用を受けることができる、前記ノズル本体上の少なくとも１つのさらなる外部傾斜面を備える、前記請求項のいずれかに記載のノズル。
【請求項２７】
ディスペンス用ノズル上に嵌め込まれるキャップであって、
（ｉ）第１閉鎖端と、
（ｉｉ）細長いノズル本体を収容し、第２開放端を画定するハウジングと、
（ｉｉｉ）前記ノズル上の協働係合構造と相互係合して、前記キャップをノズル上に嵌め込む位置に保持するための前記キャップ上の係合構造と、
（ｉｖ）前記開放端の周囲の口と、
前記キャップと前記ノズル本体との間に十分な相対的な分離力を提供し、前記キャップ上の係合構造および前記ノズルを相互係合位置から分離するように前記ノズル上に嵌め込まれた場合に、前記ノズルの傾斜表面に作用するように配置された、前記キャップ上の協働部分を少なくとも１つ備えるキャップ。
【請求項２８】
前記少なくとも１つの協働部分の突起が、前記傾斜表面とかみ合う形状をしている、請求項２７に記載のキャップ。
【請求項２９】
前記協働表面と外部傾斜面との分離力が、少なくとも一方向での前記キャップと前記ノズルの相対的な回転の作用によって提供される、請求項２７または２８に記載のキャップ。
【請求項３０】
前記協働表面と外部傾斜面との分離力が、２つの反対方向での前記キャップと前記ノズルの相対的な回転の作用によって提供される、請求項２７から２９のいずれか一項に記載のキャップ。
【請求項３１】
分離を行うために必要な前記相対的な回転が、約９０°未満である、請求項２９または３０に記載のキャップ。
【請求項３２】
分離を行うために必要な前記相対的な回転が、約８０°未満である、請求項２９から３１のいずれか一項に記載のキャップ。
【請求項３３】
分離を行うために必要な前記相対的な回転が、約６０°未満である、請求項２９から３２のいずれか一項に記載のキャップ。
【請求項３４】
前記少なくとも１つの協働部分が凸状形状である、請求項２７から３３のいずれか一項に記載のキャップ。
【請求項３５】
前記少なくとも１つの協働部分が突起の形をしている、請求項２７から３４のいずれか一項に記載のキャップ。
【請求項３６】
前記キャップ上の協働部分の移動路が、前記ノズルの周囲の円周方向の経路である、請求項２７から３５のいずれか一項に記載のキャップ。
【請求項３７】
前記キャップ上に設けられた２つの対向する協働部分を備える、請求項２７から３６のいずれか一項に記載のキャップ。
【請求項３８】
前記ノズルの外面上に配置された構造と相互係合する内部相互係合構造を備える、請求項２７から３７のいずれか一項に記載のキャップ。
【請求項３９】
前記ノズル上のさらなる傾斜面と協働する前記キャップ上のさらなる協働部分を備える、請求項２７から３８のいずれか一項に記載のキャップ。
【請求項４０】
前記キャップのさらなる協働部分が内肩上に設けられている、請求項３９に記載のキャップ。
【請求項４１】
さらに、前記閉鎖端から前記開放端に向かって前記キャップ本体内部に沿って延びる少なくとも１つの長手方向の内部リブを備える、請求項２７から４０のいずれか一項に記載のキャップ。
【請求項４２】
さらに、前記キャップ本体内に間隔をおいて配置され、前記閉鎖端から前記開放端に向かって前記キャップ本体内部に沿って延びる少なくとも２つの長手方向の内部リブを備える、請求項２７から４１のいずれか一項に記載のキャップ。
【請求項４３】
さらに、一端で前記キャップに取り付けられ、前記キャップの開放端に向かって突出する自由端を有する前記ハウジング内のピンを備える、請求項２７から４２のいずれか一項に記載のキャップ。
【請求項４４】
請求項１から２６のいずれか一項に記載のノズル上に嵌め込まれ、これと相互係合するように構成された、請求項２７から４３のいずれか一項に記載のキャップ。
【請求項４５】
請求項２７から４４のいずれか一項に記載のキャップがその上に嵌め込まれ、それと相互係合するように構成された、請求項１から２６のいずれか一項に記載のノズル。
【請求項４６】
請求項４５に記載のノズル上に嵌め込まれ、これと係合する、請求項４４に記載のキャップを備えるアセンブリ。
【請求項４７】
自身と一体形成された、請求項１から２６のいずれか一項に記載のノズルを有する容器であって、
前記ノズルが、前記容器から取り出し可能な製品を出すように配置されている容器。
【請求項４８】
自身に取り付けられた、請求項１から２６のいずれか一項に記載のノズルを有する容器であって、
前記ノズルが、前記容器から取り出し可能な製品を出すように配置されている容器。
【請求項４９】
さらに、前記ノズル上に嵌め込まれ、これと係合する、請求項４４に記載のキャップを備える、請求項４７または４８に記載の容器。
【請求項５０】
その中に硬化性製品を含む、請求項４７から４９のいずれか一項に記載の容器。
【請求項５１】
前記硬化性製品が接着剤製品である、請求項５０に記載の容器。
【請求項５２】
前記接着剤がシアノアクリレート接着剤である、請求項５１に記載の容器。
【発明の詳細な説明】
【技術分野】
【０００１】
本発明は、ディスペンス用ノズルおよびキャップに関する。本発明はまた、このノズルまたはキャップを備えるアセンブリ、および、このノズルおよび／またはキャップを嵌め込んだ容器にも関する。
【背景技術】
【０００２】
取り出し可能な製品を取り出すための多くのタイプのノズルが提供されてきた。使用後および保存用にノズルを封鎖するためにノズル上に嵌め込むキャップも、よく知られている。ノズル／キャップは、多くの最終使用用途に使用することができる。
【０００３】
ある場合に生じる１つの問題は、キャップがノズルから外れることである。これは、製品を取り出すためにノズルを使用し、取り出し動作の完了時にノズルの外部に製品が残っている場合に起こる。ノズル上にキャップを戻すと、しばしば、キャップも残っている製品で汚染されてしまう。これにより、次には、その後にノズルからキャップを外すことが困難になることがある。製品は、例えば、キャップをノズルに接着させる、および／または、例えばねじ山などを汚すことによって、ノズルからのキャップの取り外しを別な方法で妨げることがある。
【０００４】
キャップをノズル上に嵌め込んだ位置から外すのが困難であることは望ましくない。取り出しされている製品の使用者が、キャップをノズルから外そうとしても、製品による、そうすることに対する抵抗が大きすぎるために、もはや手動でできないと気付くことがあるからである。使用者が外すのが困難なキャップを外そうとするのを助けるために何れかの道具を使用すると、キャップを外すために加えた力がノズルおよび／またはキャップを損傷し、それらがもはや必要な仕方で嵌め合わせられなくなることがある。機械的な力を使用する状況では、例えばノズルの剪断、キャップの破損、または、取り出される製品を入れている容器の破裂など、何らかの形の材料破壊を経験することが非常に一般的である。
【０００５】
材料破壊が起こり得る状況を最小限に抑え、使用者がノズル上に嵌め込んだ位置からキャップを最小限の力で外せるようにするノズル／キャップ配置構成を提供しようとする試みがなされてきた。
【０００６】
１つの知られているキャップ／ノズルアセンブリは、ベースおよび第２ディスペンス用末端を有する細長いノズル本体を有するタイプのキャップを備える。ノズル本体内に画定された導管が、製品をベースからディスペンス用末端へと送出するために設けられている。ノズルは、異なる直径の３つの部分を有する。ノズルの一部分には外ねじ山が設けられ、これは嵌め込みキャップの外面上の内逆ねじ山と協働する。
【０００７】
嵌め込みキャップは、第１閉鎖端と、第２開放端を画定し、この開放端の周囲にリムがあるハウジングを有するタイプである。キャップにはねじ山も設けられ、これはノズルの外面上の外逆ねじ山と協働する。
【０００８】
両方の部品は、一般的には、キャップをノズル上に嵌め込んだ位置から外そうとして加えられることがある相当な力に耐えることができるように、非常に強いプラスチック材料から作られる。ねじ山は、キャップとノズルの相対的な回転が使用者にとって比較的容易であるように、比較的小さいピッチで配置構成されている。ねじ山は、製品での汚染の危険性が最小限に抑えられるように、ノズルのディスペンス用末端からかなりの間隔をあけた位置に配置される。しかしながら、このような構成にしてさえも、２つの部品が接着し、外すのが困難になる。より強い材料を使用するにもかかわらず、比較的大きな機械的な力を加えた場合には、上述したような材料破壊が起こり得る。
【０００９】
さらに、より厚い壁などに反映され、それはまた、より大量の材料を利用することによって達成される、丈夫に構成された構成部品の必要があれば、ノズル／キャップ配置構成を作製するのに使用される材料の費用は大きい。幾つかのより早くからの構造では、キャップ内に設けられ、ノズルの導管に突き刺さるように配置されたピンは、必ず金属構造であった。幾つかの先行技術の配置構成で経験される別の問題は、ノズルからキャップを外すために加えた力によるキャップの変形のために、キャップが広がるという問題である。このような場合、キャップの直径はノズルからの広がりを歪める。
【発明の開示】
【発明が解決しようとする課題】
【００１０】
したがって、その装置が製品で汚染されている場合にキャップを開けることが困難であるという問題に対処するノズルおよびキャップ装置を提供すること、また、特に使用される材料の量を減少させることによって、また製造中の組立コストを削減することによって、使用される材料のコストを削減することが望ましい。
【課題を解決するための手段】
【００１１】
本発明によれば、
（ｉ）ベース部分およびディスペンス用末端を有する細長いノズル本体と、
（ｉｉ）製品を前記ベース部分から前記ディスペンス用末端へと送出するためのノズル本体内の内部導管と、
（ｉｉｉ）キャップ上の協働係合構造と相互係合して、前記キャップをノズル上に嵌め込む位置に保持するためのノズル上の係合構造と、
（ｉｖ）前記ノズル本体上にあって、前記キャップ上の協働部分からの作用を受け、前記キャップと前記ノズル本体との間に十分な相対的な分離力を提供し、前記キャップ上の係合構造および前記ノズルを相互係合位置から分離することができる外部傾斜面と
を備えるディスペンス用ノズルが提供される。
【００１２】
本発明の構成によって提供される利点は、提供される分離力が必要とされる手動の作用力に対して大きいことである。この構成はまた、ノズルの製造で使用される材料を減らし、したがってコストを削減することができるものである。さらに、本発明の構成は、従来のねじ山、特に低ピッチのねじ山の必要性を無くす。従来のねじ山を取り除くと、取り出される製品で汚れることによってノズルおよびキャップが互いに固着されるという問題の１つの潜在的な原因が取り除かれる。傾斜面および協働部分は、所望の動作を提供するように、互いに対して横滑りすることができる。したがって、傾斜面／協働部分は、ある種のスキッドパッドとして働く。
【００１３】
本発明のノズルは、取り出し可能な製品を入れることができる容器と一体形成することができる。あるいは、容器上の対応する係合構造と係合するためのスナップ嵌め、またはねじ山などの係合構造を設けることができる。
【００１４】
本発明のノズルは、工業用または一般消費者用製品を取り出すために使用することができる。特に、本発明のノズルは、接着剤のような硬化性製品の取り出しに特に適している。
【００１５】
協働表面と外部傾斜面との分離力は、少なくとも１方向でのキャップとノズルの相対的な回転の作用によって提供されることが望ましい。これは、傾斜表面をキャップの回転方向に対して斜めにすることによって達成することができる。分離力は、２つの反対方向でのキャップとノズルの相対的な回転によって提供されることがさらに望ましい。これは、キャップの回転方向に対して斜めである２つの対向する（および対面する）傾斜表面によって達成することができる。
【００１６】
しかしながら、所望に応じて、例えば製品の使用者にとってさらに優れた視覚的表示のために、傾斜面はその一端に止め部を有していてもよく、キャップがノズルと係合する時にそれに突き当たる。これは、キャップがノズルに取り付けられている時に、明確なキャップの止め部を提供する。螺旋ねじ山タイプの構成は、一般的に、加えられる、ねじ山の周囲の相対的な回転力によって決定される程度まで相互係合が確保されるため、このような明確な止め部を有さない。一つまたは対向する傾斜面に止め部が存在する場合、使用者はキャップとノズルを分離するために必要な相対的な回転方向（例えば左手方向）をさらによく認識する。
【００１７】
分離を行うために必要な相対的な回転は、約９０°未満、特に約８０°未満、例えば約６０°未満であることが望ましい。１つの配置構成では、相対的な回転の角度は、約４５°など、約５０°未満である。言い換えると、ねじ山構成とは対照的に、ノズルをキャップから分離すること（もう相互係合しないように完全に分離すること）は、（ほぼ）１回の３６０°の相対的な回転または旋回未満で達成することができる。この構成要素は、１回の相対的な回転未満で係合解除される。一般的に、達成される分離距離は、少なくとも約０．４ｍｍ、例えば少なくとも約０．５ｍｍ、特に少なくとも約０．７５ｍｍ、例えば少なくとも約１ｍｍのオーダである。この分離は、十分に係合した位置から測定されるものである。キャップは、なおノズル上に（部分的に）嵌め込んだ位置であるが、そこから係合解除されていてよい。
【００１８】
１つの配置構成では、傾斜面が、ノズル本体上に画定された外肩上の傾斜表面によって提供される。外肩は、異なる直径を有するノズルの２つの部分を架橋する、ノズル上の架橋部分上に画定することができる。架橋部分は、特に（外面間を横切って測定される）ノズルの直径を減少させることによって形成することができる。一般に、ノズルの直径のこのような減少は、ノズル上での、導管の直径の減少と実質的に一致する。このことは、キャップをノズル上に嵌め込むと、キャップのベースが肩に接触するように、キャップを構成することができることを意味する。このような場合、キャップの接触部分は、一般的に、キャップ上の協働部分を形成する。
【００１９】
肩は、一般的に、ノズル本体の長手方向軸線の少なくとも一部の周囲に円周方向に配置された表面を提供する。一般的に、その表面の向きは、ノズル本体の長手方向軸線に対して実質的に横向きである。
【００２０】
一般的に、傾斜面は、第１（下部）部分および第２（上部）部分を持つ傾斜表面を有し、この第１部分および第２部分は、第１部分から第２部分へと傾斜面に沿って移動すると、所望の揚程を提供するように配置されている。これは、第２傾斜表面が設けられている場合も当てはまる。後者の場合、それぞれの傾斜面の第１部分を相互に近接して配置することができ、一方で、第２部分は一般的に（両方の第１部分がその間に配置された状態で）さらに間隔をおいて配置される。傾斜表面は、ノズル本体の横方向軸線の周囲に配置されることが望ましい。例えば、傾斜表面は、ノズル本体の横方向軸線の周囲で（対称または非対称で）湾曲していてもよい。一般的に、傾斜表面はそれぞれ、第１（下部）部分および第２（上部）部分を有するように横方向軸線の周囲で湾曲していてよい。第１部分は、一般的に、第２端部よりも、ノズルのディスペンス用末端部から離れている。２つの対向する傾斜表面は、その下端で接触するように配置することができる。接触する傾斜表面は、一般的に、通常少なくとも１つの湾曲した表面を有する凹状の形状を示すことができる。止め部を設ける場合、これは対向する傾斜表面の一方の上端に配置することができる。
【００２１】
したがって、傾斜表面は皿状タイプの表面、例えば皿状窪みまたは溝によって提供することができ、これは例えば肩に形成することができる。皿状表面を使用する場合は、一般的に（中央の）低位部分および２つの高位部分があり、低位表面から高位表面（の一方）へと表面に沿って移動すると、傾斜動作が提供される。したがって一般的に、２つの対向する方向のいずれかに移動することによって、上昇または傾斜動作が経験される。
【００２２】
一般的に、傾斜表面または各傾斜表面は、ノズルのキャップ上の協働部分の移動路を辿るように、長手方向軸線の周囲で湾曲することが望ましい。これによって、キャップ上の協働部分が相対的な回転によって傾斜面に乗り上げることができ、これはキャップとノズルの分離が達成されるまで継続させることができる。
【００２３】
一般的に、傾斜面は、ノズル本体の周囲に（円周方向に）約４５°未満延在するように設けることができる。いずれかの方向での相対的な回転によって分離力が達成された場合、一般的に、皿状表面の約半分にわたる移動によって、皿状表面の低位部分から高位部分への傾斜表面に沿った移動が達成される。
【００２４】
傾斜面は、ノズル部分の壁部分から間隔を置いて、その周囲に延びる円周方向に配置された棟部分上に設けられていることが望ましい。これは、例えば棟の上部がノズル本体の直径縮小部分の壁部分の周囲に延在するように、肩上に十分な高さの棟部分を設けることによって、容易に達成することができる。棟は、ノズル本体の周囲に完全に、または部分的に延在してよい。例えば、棟は、一面上のみ、対向する面上、および／または、分割されていてもよい。この配置構成では、棟に傾斜面を設ける場合に、これが有用である。
【００２５】
キャップの協働部分は、傾斜面に作用するために半径方向外側に延びるように配置することができ、一方で、キャップの口は、嵌め込み位置において、棟とノズル本体の間の少なくとも部分的に環状の座部に取り付けられていることがさらに望ましい。これは、キャップをノズルに非常にぴったり嵌めさせ、美的観点からも魅力的である。これは、単純だが、望ましい構造に役立つ。１つの特に望ましい構造は、キャップの協働部分が半径方向外側に延び、キャップとノズルの相互係合した位置で、傾斜面を越えて突出する構造である。
【００２６】
本発明のさらに重要な態様は、傾斜面および協働部分が、係合解除位置でも相互係合位置でも使用者に明瞭に見えるように配置されていることである。傾斜面および協働部分がかみ合う側面は、２つの部品を相互係合するためのキャップとノズルの正しい位置合わせについて使用者に非常に強い視覚的表示を与える。
【００２７】
１つの簡単な構成では、キャップとノズルが押し込み嵌めの方法で、例えばスナップ嵌めの構成で相互係合する。この配置構成では、ノズル上の係合構造がキャップとスナップ嵌め係合するように配置される。この配置構成では、キャップをスナップ式で取り付け、捻って（ポンと）外す。キャップとノズルをスナップ嵌め係合させることは、成形または充填プロセス中のようなキャップとノズルの組立の観点から、非常に有益である。キャップとノズルは、単純な押し込み嵌めによって容易に組み立てることができ、螺旋ねじ山にねじ込む必要をなくすことができる。
【００２８】
スナップ嵌め構成を使用する場合は、ノズルには外部の、キャップには内部の相互係合構造を設けることが望ましい。相互係合は、内部相互係合構造を外部相互係合構造上にスナップ嵌めすることによって達成することができる。２つの（直径方向に）対向する外部相互係合構造、および２つの（直径方向に）対向する内部相互係合構造を設けることが望ましい。キャップ／ノズルアセンブリに係合解除する相対的な回転が加えられた時に、１つまたは複数の傾斜面がキャップに十分な揚程を与え、スナップ嵌め構造のスナップを外すことができる。このようにして、例えば傾斜面によって生じた分離力が内部相互係合構造を外部相互係合構造上に押しやり（戻し）、ノズルからキャップを外す。
【００２９】
一般的に、スナップ留めの構成は、製造環境において、よく役立つ。スナップ式で取り付け、捻って外す構成を有することは効率的で有益であるが、ねじで取り付け、外すキャップに慣れている不慣れな使用者には実際的な難問を引き起こすことがある。そのような人にとっては、捻って取り付けるタイプの動作を含むことが有利である。特に、本発明によれば、追加的または代替的に、キャップに対する捻り動作によって他方の下の位置へと滑動させることで、一方を他方と係合させることにより、相互係合構造を一緒に相互係合位置に持ってくることができる。機能性の両方の態様を維持するために、スナップ留め動作に加えて、捻って取り付けるタイプの動作を提供することが望ましい。このような配置構成では、キャップを押し込み嵌めることも、捻って嵌め込むこともでき、また、これを引っ張って外すことも、捻って外すこともできる。
【００３０】
この代替的または追加的な機能性は、傾斜面と一致する輪郭を有するように相互係合構造の輪郭を形成することによって達成することができる。相互係合構造は、押し込みスナップ嵌め係合のように、一方の構造を他方に押し込んだようなのと同じかみ合わせ係合を達成するようにかみ合うよう、輪郭を形成する。この方法では、キャップが回転して、傾斜面内に重なり、同時に一方の相互係合構造が他方と係合する。そして、キャップは所定の位置に保持され、使用者の選択でスナップ式に外すか、捻って外すことができる。
【００３１】
相互係合（スナップ嵌め）構造を設ける場合、ノズル上の相互係合構造は、ノズル本体上、そのベース部分の近傍に配置することが望ましい。１つの配置構成では、第１および第２傾斜面が、ノズル本体に沿って（長手方向に）間隔を空けて設けられている場合、ノズル本体上のスナップ嵌め構造は、第１傾斜面と第２傾斜面との間で、ノズル本体上に配置される。
【００３２】
一般的に、相互係合構造は、１つ以上の相互係合リブの形態をとる。特に、１つまたは複数のリブが、ノズルおよび／またはキャップ本体上に横向きに配置される。この配置構成では、リブの少なくとも一部が、キャップおよび／またはノズルの長手方向軸線に対して実質的に直角に延びる。リブは、一般的に、ノズルの周囲の一部分のみに延び、例えばノズルの周囲の円周距離の（実質的に）半分未満しか延在しない。
【００３３】
リブの（テール）部分は、長手方向軸線に対して斜めに（例えば、比較的大きい角度、例えば１０°から７０°、２０°から６０°など、望ましくは３０°から５０°、約４５°など）延びてよい。その傾斜部分は、傾斜面の輪郭と一致するように輪郭を形成することが望ましい（そして、一般的に、上述したように比較的大きい角度で上方向に回転する）。これは、ノズル上の任意の傾斜面の輪郭を辿るためにノズル上のリブがとる、特に望ましい形態である。キャップ上のリブは実質的に直線であってよいが、キャップがノズルとより滑らかに係合できるように、小さい傾斜角度（例えば約１５°未満、約１０°未満など）に設定することが望ましい。キャップおよびノズルそれぞれに、それぞれのリブを設ける場合は、それぞれがキャップまたはノズルの周囲の一部分のみに延びていることが望ましい。これは、本出願の他の箇所で記載するように、キャップを１回転未満で取り外せるようにすることと一致する。
【００３４】
上述した本発明のノズルの一般的な構造は、取り出される製品によって相当に汚れたノズル／キャップの場合でさえも、組み合わせられたキャップとノズルを容易に開けることを可能にするために十分である。分離力は、傾斜動作を達成するキャップを捻って外すことによって最もよく達成される。
【００３５】
しかしながら、本発明者らは、下記のさらなる特徴の幾つかを使用することによって、キャップ／ノズルの分離態様をさらに向上できることを見出した。
【００３６】
特に、下記のように、分離力をキャップとノズルの間で分散させることが望ましい。特に、ノズルの周囲の円周方向に異なる位置、およびノズルに沿った方向に異なる位置で分離動作を生じるために、他の傾斜面および協働部分を設けることによって、これを行うことができる。これは、間隔を空けた様々な位置に力を分散させ、これは、キャップの取り外し特性を向上させる。
【００３７】
１つの配置構成では、キャップ上のさらなる協働部分が作用することができる、少なくとも１つのさらなる外部傾斜面がノズル本体上に設けられる。１つの配置構成では、上記の傾斜面からノズルに沿って間隔を空けた位置に、少なくとも１つのさらなる傾斜面を設けることが望ましい。
【００３８】
ノズル上の第２肩にさらなる傾斜面が設けられていることが望ましい。この場合も、肩は、ノズル上の架橋部分に形成することができる。１つの配置構成では、この肩は、キャップがノズル上の嵌め込み位置にある（構成要素がかみ合っている）場合に、キャップ本体によって形成されたハウジング内に位置するように配置される。追加の傾斜面は、それらが一緒に作用して、通常同時に、同じ方向で、キャップとノズルの間の様々な位置で分離力を提供するように、上記の傾斜面と協働するように配置される（特に位置決めされ、形づくられる）。一般的に、第２傾斜面は、上述したように配置された肩上に配置することができる。第２傾斜面は、上述したような棟構成にはなくてよい。一般的に、（さらなる傾斜面と協働するための）キャップのさらなる協働部分は内肩であってよい。内肩は、ハウジングの内径を縮小することによって、または半径方向内側に突出するように配置された１つ以上の部分上に設けることができる。内部リムまたはカラーを設けることができ、その上に肩が設けられる。リムまたはカラーは、所望に応じて、連続的であっても、非連続的であってもよい。
【００３９】
相対的な回転で、キャップとノズルの間にさらに大きい分離力を提供することが、さらに望ましい。これは、ノズル本体上に少なくとも１つのさらなる外部傾斜面を設けることによって達成することができる。以下でさらに詳細に記載するような、キャップ本体内部に沿って延びる長手方向の内部（位置決めまたはガイド）リブと協働するために、少なくとも１つのさらなる傾斜面を設けることが望ましい。特に、ノズル上の同じ肩部分に２つ以上の傾斜面を設けてよいことに留意されたい。特に、上記の内部突起と協働する少なくとも１つの傾斜面、およびリブと協働する別の傾斜面を設けることが望ましいことがある。
【００４０】
ノズル上の所定の位置に別個の傾斜面を設ける場合、その傾斜面は間隔をあけて配置することが望ましい。例えば、１つの傾斜面はノズル本体に接して設けることができ、一方、第２の傾斜面をそこから（半径方向外側に）間隔をおいて配置する。２つの傾斜面が架橋部分上に設けられる１つの配置構成では、架橋部分と、ノズルのこれより直径が小さい部分との接合部に、１つの傾斜面を設けることが望ましい。他方の傾斜面は、架橋部分と、ノズルのこれより直径が大きい部分との接合部に設けることができる。
【００４１】
一般的に、分離力はノズルの周囲に均一に分配されることが望ましい。これは、ノズルの周囲に少なくとも２つの傾斜面を設けることによって達成することができる。一般的に、傾斜面は、直径方向に対向する（例えば、１８０°離れて中心に置かれる）ように設けることができる。一般的に、これは、キャップとノズルの間にバランスのとれた分離力の伝達を提供する。例えば、分離力は、キャップの対向する側面に均一に伝達されることができる。
【００４２】
特に、設ける傾斜表面は、対にして配置することが望ましい。反対の回転方向で傾斜効果を提供するために、第１対の対面する傾斜表面を設けることができる。さらに、対向する側面の傾斜面が対として合わせられ、それぞれがキャップの対向する側面に分離作用を提供するように、ノズルの対向する側面上の傾斜面を設けることができる。
【００４３】
１つの特に望ましい配置構成は、４つの傾斜表面を設けることである。２対の対面する傾斜表面があることになる。１対の対面する傾斜表面が、他方に対して直径方向で対向する位置にある。一般的に、これらは、キャップが経験する傾斜作用は、キャップの反対の回転方向で実質的に同じになり、直径方向で対向する側面でキャップに実質的に均一に伝達されるように、１８０°離れて中心に置かれる。
【００４４】
上述した傾斜面は、ノズル上の任意の所望の位置に設けることができ、また、キャップの外部または内部に設けられた協働部分がそれに作用できるように設けることができることが当業者には認識されるであろう。特に、ノズル本体上に２つ以上の肩部分がある場合は、任意の選択された１つまたは複数の肩部分に傾斜面を設けることができる。さらに、設ける傾斜面の数は、所望に応じて調節することができる。傾斜面は、例えば所望に応じてノズル本体に直接傾斜面を形成することにより、ノズル本体上の任意の位置に設けることもできる。特に、傾斜面は、ノズル本体上の肩から間隔をおいた位置に設けることができる。一般的に、達成される上昇作用が任意の可能な付着点に近い位置に、傾斜面／協働部分配置構成を設けることが望ましい。
【００４５】
少なくとも８つの傾斜表面を設け、少なくとも４対の反対に傾く傾斜表面があるように、少なくとも２つの長手方向に間隔をおいた位置にそれらを配置することが適切である。この場合も、長手方向の位置それぞれに、２対の対面する傾斜表面がある。長手方向の位置それぞれで、１対の対面する傾斜表面が、他方に対して直径方向で対向する位置にある。一般的に、直径方向で対向する対それぞれは、キャップが経験する傾斜作用は、キャップの反対の回転方向で実質的に同じになり、直径方向で対向する側面でキャップに実質的に均一に伝達されるように、１８０°離れて中心に置かれる。８つの傾斜表面は、一般的に、ノズルの長手方向軸線に平行に延びる軸線の周囲を中心にする。例えば、４つの傾斜表面は、ノズルの長手方向軸線に平行に延びる２本の軸線それぞれの周囲を中心にすることができる。
【００４６】
１つの特定の構造では、少なくとも６対の反対に傾く傾斜表面があるように、少なくとも２つの長手方向に間隔をおいた位置に、少なくとも１２の傾斜表面が設けられる。この場合も、長手方向の位置それぞれに、２対または４対（例えば同じ肩に設けた場合）の対面する傾斜表面があってよい。長手方向の位置それぞれで、１対（または２対）の対面する傾斜表面が、他の１対（または他の２対）に対して直径方向で対向する位置にある。一般的に、直径方向で対向する対それぞれは、キャップが経験する傾斜作用は、キャップの反対の回転方向で実質的に同じになり、直径方向で対向する側面でキャップに実質的に均一に伝達されるように、１８０°離れて中心に置かれる。概ね同じ位置に８つの傾斜表面を設ける場合、これらは、ノズルの横方向軸線に沿って測定して、相互に対して間隔をおいて配置することができる。１２の傾斜表面は、一般的に、ノズルの長手方向軸線に平行に延びる軸線の周囲を中心にする。例えば、２つの傾斜表面は、ノズルの長手方向軸線に平行に延びる６本の軸線それぞれの周囲を中心にすることができる。
【００４７】
上記のように、傾斜面の少なくとも１つにおいて、所望に応じて、傾斜表面の１つに止め部を取り付けることができる。
【００４８】
ノズルのディスペンス用末端は、自身に排管を嵌め込むことができるようにすることが望ましい。
【００４９】
本発明はまた、自身と一体形成された、本発明のノズルを有する、取り出し可能な製品を入れるための容器にも関する。本発明はさらに、自身に取り付けられた、本発明のノズルを有する、取り出し可能な製品を入れるための容器を備えるアセンブリに関する。
【００５０】
本発明はまた、上記のノズル上に嵌め込まれ、これと相互係合するように構成されたタイプのキャップにも関する。特に、本発明によれば、ディスペンス用ノズル上に嵌め込まれるキャップであって、
（ｉ）第１閉鎖端と、
（ｉｉ）細長いノズル本体を収容し、第２開放端を画定するハウジングと、
（ｉｉｉ）前記ノズル上の協働係合構造と相互係合して、前記キャップをノズル上に嵌め込む位置に保持するための前記キャップ上の係合構造と、
（ｉｖ）前記開放端の周囲の口と、
前記キャップと前記ノズル本体との間に十分な相対的な分離力を提供し、前記キャップ上の係合構造および前記ノズルを相互係合位置から分離するように前記ノズル上に嵌め込まれた場合に、前記ノズルの傾斜表面に作用するように配置された、前記キャップ上の協働部分を少なくとも１つ備えるキャップが提供される。
【００５１】
特に、少なくとも１つの協働部分の突起は、傾斜表面とかみ合うように形づくられていることが望ましい。特に、少なくとも１つの協働部分は、重なる配置において、傾斜面の輪郭（存在する場合、望ましくは両方の傾斜面の輪郭）とかみ合うように形づくられていることが望ましい。相対的な回転が起こると、協働部分が傾斜表面に乗り上げる。特に、少なくとも１つの協働部分は凸状形状であることが望ましい。このような形状によって、上述したように、小さい相対的な回転角度で十分な相対的な分離力を達成することができる。一般的に、上昇または傾斜作用は、２つの反対の方向のいずれかに移動することによって経験される。しかし、上述したように、追加的または代替的に止め部を設けてもよく、これは、２つの反対方向の少なくとも一方に傾斜面に沿って移動するのを防止することになる。少なくとも１つの傾斜面は、ノズル本体上の１つ以上の傾斜表面の形で設けることができる。
【００５２】
一般的に、傾斜面／協働表面は、傾斜面に対する協働部分の作用により、相互係合位置から最大分離距離の位置まで、少なくとも約０．５ｍｍの分離距離を提供する。一般的に、キャップおよび／またはノズルの一般的な向きに関係なく、これを上昇距離と見なすことができる。より特には、少なくとも約０．７５ｍｍの分離距離を達成することが望ましい。相対的な回転で、少なくとも約１ｍｍの分離距離を達成することが望ましい。上記のように、スナップ式に外すタイプの配置構成で、一方を他方の向こう側へ移動させることにより、相互係合構造を係合解除させることによって、分離が起こることができる。別の配置構成では、回転によって、一方の相互係合構造を他方の下から外に移動させることによって、分離が起こる。
【００５３】
１つの実施形態では、少なくとも１つの協働部分が突起の形をしている。一般的に、キャップ上の協働部分の移動路は、ノズルの周囲の円周方向にある。
【００５４】
１つの配置構成では、キャップ上に２つの対向する協働部分が設けられる。１つの配置構成では、ノズルの外面上に配置された構造と相互係合するための内部相互係合構造がキャップに設けられる。
【００５５】
１つの配置構成では、キャップ上に、ノズル上のさらなる傾斜面と協働するための、さらなる協働部分が設けられる。一般的に、（さらなる傾斜面と協働する）キャップのさらなる協働部分は、内肩であってよい。内肩は、ハウジングの内径を縮小することによって、または半径方向内側に突出するように配置された１つ以上の部分上に設けることができる。内部リムまたはカラーを設けることができ、その上に肩が設けられる。リムまたはカラーは、所望に応じて、連続的であっても、非連続的であってもよい。この場合も、さらなる協働部分（および傾斜面）は、キャップとノズルの相対的な回転で分離力を提供するように形づくられる。一般的に、分離力は全て協働し、設けられた他のかみ合っている傾斜面／協働部分と同時に分離力を提供するように配置される。
【００５６】
少なくとも１つの長手方向の内部リブが、キャップ本体内部に沿って、閉鎖端から開放端に向かって延びることが望ましい。少なくとも２つのリブを、キャップ本体内に間隔をおいて設けることが望ましい。より特には、少なくとも３つのこのようなリブを設けることが望ましい。一般的に、リブはキャップ本体内に均等に間隔をおいて配置される。
【００５７】
キャップには、一端でキャップに取り付けられ、キャップの開放端に向かって突出する自由端を有する、ハウジング内のピンを設けることも望ましい。ピンは、一般的に、ノズルのディスペンス用末端から導管内に突き刺さるように配置される。ピンは、導管を、特に導管のディスペンス用末端を閉塞がないように維持することが望ましい。上記のリブは、一般的に、ノズルに沿って延び、キャップをノズル上に嵌め込むにつれて、ピンを導管内にガイドするように配置構成されたガイドリブとして配置される。
【００５８】
ピンは、キャップと一体形成することが望ましい。
【００５９】
一般的に、分離力は、ピンとノズルの間の付着を克服するのにも十分である。利用するピンの長さに応じて、傾斜面に対する協働部分の作用によって達成される分離は、ピンをノズルから取り外すのに十分なことがある。言い換えると、垂直行程は、ノズル内のピンの進入深さより大きくてよい。
【００６０】
特に、ノズル上の同じ肩部分に２つ以上の傾斜面を設けてよいことに留意されたい。特に、上記の内部突起と協働する１つの傾斜面、およびリブと協働する別の傾斜面を設けることが望ましいことがある。
【００６１】
したがって、まとめると、本発明は、容易に開けられる機構を提供するノズル、キャップ、およびそのアセンブリを提供する。構成要素は全て、プラスチック材料から作ることができる。当業者は、例えば、取り出される製品との相溶性について、必要に応じて材料を選択することができる。特に、構成要素は、接着剤相溶性材料のような硬化性製品相溶性製品から作ることが望ましい。１つの配置構成では、選択される材料は、シアノアクリレート接着剤相溶性である。本発明の容器は比較的小さくてよく、例えば約３グラム以上の製品を収容するか、例えば２０〜５０グラムの製品を収容する、または２００〜５００グラム以上までの製品を収容するようなものなど、はるかに大きいサイズであってもよい。美的な外形は、ノズルへのキャップの（再）取り付けに関して、消費者に視覚的補助を与えるようなものである。
【００６２】
スナップ式で取り付け／捻って外す配置構成にした場合、これは特に消費者にとって使いやすい。過度の取り外しの力を加えたためにキャップが広がるという現象は、本発明の設計によって改善される。
【発明を実施するための最良の形態】
【００６３】
便宜上、異なる図面は異なる縮尺で図示されていることに留意されたい。しかしながら、ノズルおよびキャップは、任意の特定の図面で使用される縮尺に関係なく、アセンブリ配置構成において相互係合するように寸法決定されていることが認識される。
【００６４】
次に、添付の図面に言及する。特に、図１から図１７を使用して、本発明の様々な構成要素の様々な実施形態について多少詳細に説明する。
【００６５】
図１から図５は、本発明によるディスペンス用ノズル１を示す。ディスペンス用ノズル１は、細長いノズル本体２を有する。ノズル本体は、環状スカート４の形をしているベース部分３を有する。ディスペンス用ノズルは、そこから製品が取り出されるディスペンス用末端５を有する。内部導管６がノズル本体２内に設けられ、製品をベース部分３からディスペンス用末端５へと送出する。導管６は、出口ポート７にて、ディスペンス用ノズルをそのディスペンス用末端５にて出る。ノズル１には、横向きに配置されたリブ８ａ、８ｂの形をとって、２つの対向する係合構造も形成される。ノズル本体２の（直径方向に）対向する側面上に配置され、その周囲の一部の円周方向に延びるリブ８ａ、８ｂは、以下でさらに説明する、キャップ上の協働係合構造と相互係合するためのものである。リブ８ａ、８ｂは、ノズル１上に嵌め込む位置にキャップを保持するためのものである。
【００６６】
ノズルに上は幾つかの外部傾斜面も設けられる。傾斜面は、キャップとノズル本体との間に十分な相対的な分離力を提供して、キャップおよびノズルそれぞれの係合構造を相互係合位置から分離するように、キャップ上の協働部分が傾斜面に作用できるように設けられる。分離力は、キャップとノズルの相対的な回転によって達成される。図１から図５の実施形態では、設けられた傾斜面はそれぞれ、２つの対面する傾斜表面を有し、これは二重傾斜面と呼ぶことがある。
【００６７】
図示した実施形態では、１２の傾斜表面を有する６つの傾斜面が設けられている。傾斜面は、（直径方向に）対向する対になって配置されている。図１から図５では、設けられた各傾斜面は二重傾斜面である。
【００６８】
特に、ノズル本体内に画定された第１肩部分４０に、第１組の傾斜面９ａ、９ｂが設けられる。ノズル本体内に画定された第２肩部分４１に、第２組の傾斜面１０ａ、１０ｂが設けられる。同じ肩部分４１に、さらなる組の対向する傾斜表面１１ａ、１１ｂが設けられる。傾斜面はそれぞれ、以下でさらに説明するように、２つの対面する傾斜表面を備える。
【００６９】
図から分かる（図２から最もよく分かる）ように、ノズル本体内に画定された第１および第２架橋部分２０、２１それぞれの上に、外肩４０、４１が画定される。第３架橋部分２２も設けられる。架橋部分はそれぞれ、異なる直径を有するノズルの部分の間に形成される。特に、図から分かるように、それぞれが異なる直径を有するノズルの４つの部分が設けられる。問題のノズル部分は、それぞれ３０、３１、３２、３３と呼び、参照番号３０は最大直径のノズル部分に割り当てられ、一方、参照番号３３は最小直径のノズル部分に割り当てられている。最大直径のノズル部分は、通常、環状スカート４を形成するように配置構成される。最小直径のノズル部分３３は、所望に応じて、ノズルに嵌め込むことができるディスペンス用排管を受け入れ、保持するように寸法決定される。以下でさらに説明するように、キャップをノズル上に嵌め込んだ時に、それは、一般的に、キャップハウジング内にノズル部分３１〜３３を収納し、一方で、部分３０はキャップの外側に残る。図５から最もよく分かるように、ノズルの直径の減少は、ノズル上で、導管６の直径の減少と実質的に一致する。
【００７０】
図示した実施形態では、架橋部分２０および２１それぞれに、それぞれ４０、４１と呼ぶ肩部分が設けられる。図から分かるように、肩４０、４１はそれぞれ、ノズル本体２の少なくとも一部の周囲に円周方向に延びる。一般的に、肩部分４０、４１の向きは、ノズル本体２の長手方向軸線に対して実質的に横向きである。傾斜面９ａ、９ｂは肩部分４０上に形成され、一方、傾斜面１０ａ、１０ｂおよび１１ａ、１１ｂは肩部分４１上に形成される。
【００７１】
図１および図２から最もよく分かるように、傾斜面はそれぞれ、第１下位部分および第２上位部分を有する。特に、傾斜面９ａ、９ｂは、肩４０内に溝状に形成されている皿状形状を有する。
【００７２】
傾斜面９ａ、９ｂは、肩４０内に画定された概ね弓形の表面によって形成される。傾斜面は、通常、参照番号５０で示される（大体の溝状の最低点にある）中心下位点を有している。下位点５０の横にはそれぞれ、２つの対面する傾斜した傾斜表面５１があり、これらは点５０の周囲で接触している。これは、傾斜面９ａ、９ｂそれぞれに二重傾斜外形を与える。傾斜表面５１は、キャップの回転運動方向に対して斜めである。点５０から傾斜表面に沿って（傾斜した表面のいずれかに沿って）移動すると、下位点から上位点への移動が起こるので、上昇作用を提供する。この上昇作用は、以下でさらに詳細に説明するように、ノズル１とキャップの間に分離力を引き起こす。傾斜表面５１は、形状が対称であると見なすことができる。傾斜表面５１の弓形の形状の点から、これらはノズル本体の横軸の周囲で湾曲していると見なすことができる。傾斜表面は、概ね凹状の形状をなしている。傾斜表面の形状のために、ノズル本体の周囲の２つの反対方向のいずれかに移動することによって、上昇または傾斜作用が経験される。これらの反対方向は、ノズル本体の長手方向軸線についての時計回りまたは反時計回りと見なすことができる。傾斜配置構成のリムまたは傾斜した表面５１が画定されたノズル部分が延び、頂点５３で接触する。傾斜した表面が接触する位置に２つの頂点５３が形成される。
【００７３】
図１から図５に図示されているが、おそらく図１、図２および図５から最もよく分かるように、傾斜面９ａ、９ｂは肩４０の棟部分に設けられている。図示した実施形態では、棟部分は、環状に配置された（第２ノズル部分３１の壁の周囲に延在する）隆起リップまたは壁部分６０として形成される。特に、壁部分６０は、ノズル部分３１から間隔をおいて配置される。壁部分６０とノズル部分３１との間には、環状の座部６１が画定される。環状座部６１は、後述する方法でキャップの一部を受け入れるように配置される。
【００７４】
傾斜面９ａ、９ｂは、以下で説明するように、ノズルとキャップの正確な位置合わせのための強い視覚的基準を提供することが認識される。さらに、ノズルの外面上には、キャップとノズルの正確な位置合わせのためのさらなる視覚的基準を与えるマーカーが設けられる。この実施形態では、マーカーは目立つ表面上にあり、これは、図示したように、ノズル本体の隆起表面６２であることができる。目立つ表面はまた、ノズル本体に対して窪んだ表面であることもできる。図１から分かるように、隆起表面６２は、矢印の形をしており、矢印の先端は傾斜面９ｂの中心を指している。傾斜面９ａを指す第２（対向する）矢印も設けられている。
【００７５】
ノズル本体部分３０には、ノズル１を手で把持しやすくする、一連の傾斜した把持用リブ６３も設けられている。
【００７６】
肩２１は、キャップがノズル上に嵌め込まれた位置にある（構成要素がかみ合っている）場合に、キャップ本体によって形成されたハウジング内に位置するように配置される。（追加の）傾斜面１０ａ、１０ｂは、キャップを外すために、他の組の傾斜面と一緒に作用することによって、相補的な方法で傾斜面９ａ、９ｂと協働するように配置される。特に、個々の傾斜面はそれぞれ、一緒に作用して、大体同時に、同じ方向で、キャップとノズルの間の様々な位置で分離力を提供するように位置決めされ、形づくられる。１対の対向する傾斜面はそれぞれ、その対の他方の鏡像であり、傾斜面は直径方向に対向する位置に配置される。
【００７７】
傾斜面９ａ、９ｂに関して上述したような棟構成がない傾斜面１０ａ、１０ｂが設けられる。傾斜面１０ａ、１０ｂは、一般的にキャップの内部位置に設けられるキャップのさらなる協働部分と共に作用するように設けられる。傾斜面１０ａ、１０ｂは、肩４１の輪郭によって画定されることが分かる。
【００７８】
傾斜面９ａ、９ｂと同様に、傾斜面１０ａ、１０ｂは、概ね弓形の表面である対向する傾斜表面によって形成された二重傾斜面である。傾斜面１０ａ、１０ｂの弓形の表面が、肩４１内に画定される。傾斜面は、通常、図１から図３の参照番号５５で示される中心下位点を有している。下位点５５の横にはそれぞれ、２つの対面する傾斜した傾斜表面５６がある。点５５から傾斜した傾斜表面５６のいずれかに沿って移動すると、下位点から上位点への移動が起こるので、上昇作用を提供する。この上昇作用は、以下でさらに詳細に説明するように、ノズル１とキャップの間に分離力を引き起こす。傾斜表面１０ａ、１０ｂは、点５５の周囲で接触する弓形の表面の配置のため、形状が対称であると見なすことができる。傾斜面の弓形の形状の点から、これらはノズル本体の横軸の周囲で湾曲していると見なすことができる。傾斜面は、概ね凹状の形状をなしている。図１および図２から最もよく分かるように、傾斜面１０ａ、１０ｂは、一般的に、傾斜面９ａ、９ｂと位置合わせされる。傾斜面９ａ、９ｂが設けられた本体部分３０より直径が小さい本体部分３１上に配置され、寸法が小さくなるが、傾斜面１０ａ、１０ｂは一般的に傾斜面９ａ、９ｂと同じ形状である。これも傾斜面９ａ、９ｂと同様に、傾斜面１０ａ、１０ｂは、ノズル本体の外壁に沿って延びるノズル本体の（肩）の位置に設けられる。一般的に、これはノズルの長手方向軸線に平行な軸線上に配置される。
【００７９】
さらに、ノズル本体２上、特に肩４１上にも、これらも両面である傾斜面１１ａ、１１ｂが設けられる。傾斜面１１ａ、１１ｂは、以下でさらに詳細に説明するような、キャップ本体内部に沿って延びる長手方向の内部リブと協働するために設けられる。特に、ノズル上の同じ肩部分４１に２組の傾斜面１０ａ、１０ｂ、１１ａ、１１ｂが設けられることに留意されたい。特に、上記の内部突起と協働する１つの傾斜面、およびリブと協働する別の傾斜面を設けることが望ましいことがある。別個の傾斜面１０ａ、１０ｂ、１１ａ、１１ｂは（半径方向に）間隔をあけて配置される。図示した実施形態では、架橋部分４１と、これより直径が小さいノズルの部分、つまりノズル部分３２との接合部に、傾斜面１１ａ、１１ｂが設けられている。傾斜面１１ａ、１１ｂは、架橋部分と、これより直径が大きいノズルの部分、つまりノズル部分３１との接合部に設けられる。
【００８０】
傾斜面１１ａ、１１ｂは中心下位点７０、およびそこから上方に通じる２つの湾曲した傾斜表面７１を有する。傾斜面は、一般的に、上述したような他の傾斜面と同様の弓形の形状である。傾斜面１１ａ、１１ｂは、キャップ本体の内部リブと協働するために設けられる。内部リブについては、以下でさらに詳細に説明する。
【００８１】
ノズル１の下面（図４Ｂおよび図５参照）、環状スカート４の口８０の周囲には、ノズルが取り付けられる容器の対応する歯と係合する一連のラチェット歯８１がある。歯の相互係合は、その後のノズルと容器の相対的な回転に抗してノズルを保持する。スカート４の下面には、螺旋ねじ山８２（図５）が設けられる。ねじ山によって、容器にねじ山で取り付けることができる。あるいは、所望に応じて、ノズルを容器と一体形成することができる。スカート部分４内には、ノズル１を取り付けることができる容器の口とかみ合うように輪郭形成されている環状の対合スカート８３も設けられる。特に、対合スカート８３は、取り付けられる容器上の膜を突き通すことができるように構成されている、鋭い前縁８４を有している。ノズルを容器に嵌め込むと、膜が破れる。
【００８２】
図６から図１０は、図１から図５のノズルと共に使用する本発明のキャップ１００の様々な図を示す。キャップは、本発明のノズル１上に嵌め込むように構成されている。嵌め込み配置構成については、以下でさらに詳細に説明する。
【００８３】
キャップ１００は第１閉鎖端を有し、これはこの実施形態では上端１０１である。キャップ１００は、細長いノズル１を収容するためのハウジングを形成するように配置構成されたキャップ本体１０２を有する。第２端１０３でキャップは開放され、キャップはハウジング１０３ａ（図１０から最もよく分かる）を形成する。キャップ１００は、その開放端の周囲に口１０４を有する。キャップ１００は、比較的大きい直径の下部分１０５を有する。キャップはさらに、部分１０５と比較すると小さい直径の上部分１０７を有する。上部分および下部分は、架橋部分１０６によって接合される。架橋部分１０６にわたって、キャップの直径の局所的な狭窄が起こる。上部分１０７は、上端１０１に向かって直径が減少すると共に、幅が先細になる。上部分１０７は、一般的に、円錐台形の形状をなしている。キャップの上部分１０７に、リブ１０８が設けられる。キャップの下部分１０５に、さらなるリブ１０９が設けられる。両方の組のリブは、キャップを手で把持しやすくすることができる。
【００８４】
以下でさらに詳細に説明するように、キャップ１００には幾つかの協働部分が設けられる。
【００８５】
特に、突起の形をしている、２つの対向する協働部分が、キャップ本体１０２上、その開放端１０３に設けられる。協働部分は、キャップ１００の周囲の短い距離だけ円周方向に延びる短いリブまたはリップ１１０の形をとる。リブは、キャップ本体１０２から半径方向外側に向かって突出する。図示したように、リブ１１０はキャップ１００の口１０４を越えて（後述するように、傾斜面９ａ、９ｂも越えて）半径方向外側に向かって突出することが望ましい。
【００８６】
図６、図８および図９Ｂから最もよく分かるように、リブ１１０は、ノズル１の傾斜面９ａ、９ｂの輪郭と合致するように形づくられた下面を有する。リブ１１０は、キャップ１００をノズル１上に配置した場合に、これとかみ合うように配置構成されている。図８に示すように、傾斜面の係合表面（この実施形態ではリブの下面）は湾曲した輪郭を有する。特に、リブは一般的に形状が凸状である。リブ１１０は、（長手方向に）口１０４の盛り上がった位置に配置された中央部分１１２を有する。図８の向きで、中央部分１１２は、それが口１０４の下にある位置に配置される。中央部分１１２は、２つの湾曲した表面１１１と連続的に接合される。湾曲した表面は、一般的に、リブの側縁部１１３で終わる。リブは、１１４と呼ぶ前縁部を有する。各協働部分（リブ）は、傾斜面も備えると見なすことができる。特に、２つの表面１１２は、ノズル１の傾斜表面５１と係合する傾斜表面であると見なすことができる。この場合も、上記の理由で、キャップとノズルが反対方向のいずれかに（その長手方向軸線の周囲の）相対的な回転を受けた時に、協働部分と、それと協働する傾斜面が、キャップをノズルから分離するように作用できるように、各協働部分に２つの対面する傾斜表面が設けられる。協働部分上に、傾斜面の１つの表面に作用する表面を１つしか有さなくても、分離を行うのに十分であることが認識される。（直径方向で）対向する協働部分は、キャップ／ノズルの対向する側面に分離力を提供する目的で設けられる。
【００８７】
さらに、キャップ１００の外壁には、矢印１２０の形をした位置合わせ指標が設けられる。矢印は、部分１０７の隆起表面および部分１０５の窪んだ表面によって形成される。矢印には（ノズルに設けられた矢印と同様に）、それを目に対してさらに明瞭にするために、構成要素の残りの部分とは異なる外見（図６および図８に示すように）を設けることができる。実際、図９ａで最もよく分かるように、２つの対向する矢印が設けられる。
【００８８】
図９Ｂおよび図１０から最もよく分かるように、キャップ本体１０２のハウジング１０３ａ内に、長手方向の内部リブが設けられている。２つのタイプのリブがあり、第１の種類のリブは、キャップ本体に沿って、キャップの閉鎖端１０１からほぼ中間の位置まで延びる。この実施形態では、このようなリブが４つあり、それぞれを１３０と呼ぶ。リブ１３０は、一般的に、キャップの閉鎖端１０１からキャップ本体の開放端の口１０４に近い方の位置まで延びる他の２つのリブよりも短い。これらのリブは、図面では１３１と表示している。一般的に、リブ１３０、１３１はそれぞれ、挿入されたノズル１のためのガイド表面を提供するという機能を有する。特に、リブは、ノズルの（接線の）輪郭と一致するように形づくられている（この実施形態ではテーパー状にする）。この方法で、ノズルは、キャップの中心への挿入を通じてガイドされる。一体形成されたピン１３２が、キャップ１００の閉鎖端１０２からハウジング内に突出する。キャップが所定の場所にあると、以下で説明するように、ピン１３２がノズルの先端に突き刺さる。
【００８９】
キャップ１００の閉鎖端１０１は、キャップの射出成形点を示す（図１０参照）ピン１３６の周囲に環状の窪み１３５を有する。
【００９０】
キャップ１００の内部には、この実施形態では、ノズルの内壁の盛り上がりにある連続的な環状のリングまたはカラー１４０である相互係合構造が設けられる。キャップおよびノズルを適正な方法で一緒にすると、ノズル上の構造８ａ、８ｂはカラー１４０とパチンと係合し、したがってキャップとノズルを合わせて保持する。キャップとノズルの相対的な回転が起こると、傾斜面／協働部分の配置構成がスナップ嵌め機構をパチンと外す。これは、強制的に分離するために、キャップとノズルの間に十分な分離力を提供することによって実行する。これは、スナップ嵌め機構の一方の部品を別の部品を越えて押すように作動する。これは、部品間の保持を破る。
【００９１】
さらに、キャップ１００の内部の位置には、さらなる協働手段が設けられる。特に、架橋部分１０６の一端には、直径が減少したキャップ部分１０７がある。架橋部分１０６とキャップ部分１０７の接合部には、内部に内肩１５０が形成される。肩１５０は、キャップ１００の内壁全体の周囲に延びる。肩１５０は、傾斜面１０ａ、１０ｂとかみ合い、傾斜面９ａ、９ｂと協働部分１１０とのかみ合いと同様に作用するように輪郭形成されている。肩１５０には、通常、協働する２つの部分が設けられる。特に、キャップの対向する側面には、協働部分１１０と円周方向で概して位置合わせされた２つの凸状表面１５１があり、これはノズル１の傾斜面１０ａ、１０ｂの輪郭と一致するように形づくられた肩１５０の下面によって形成される。図１０に示すように、肩の傾斜面係合表面（この実施形態では下面）は湾曲した輪郭を有する。協働部分はそれぞれ、キャップ１００の口１０４に近い方の第１位置に配置された中央部分１５２を有する。中央部分１５２は、反対方向に傾斜する２つの湾曲した表面１５３と連続的に接合される。湾曲表面１５３は、一般的に、中央点１５２からノズルの閉鎖端に向かって（図１０の向きで）上向きに延びる。特に、それぞれが上述したような２組の傾斜した表面を有する２つの協働部分を設けると、ノズルおよびキャップ本体の周囲に分離力を均一に分配させることができ、また、ノズルおよびキャップの相対的な回転方向に関係なく分離することもできる。この場合も、これらの構造は設けられた他の構造と共働し、組み合わせられた分離力を提供する。
【００９２】
長い方のリブ１３１はそれぞれ、傾斜面１１ａ、１１ｂと共に作用する協働部分として働く。特に、リブ１３１の下（自由）端１５５は、キャップとノズルの相対的な回転時に傾斜面１１ａ、１１ｂに作用し、分離力を提供するように配置されている。リブ１３１および傾斜面１１ａ、１１ｂがノズルに近いので、提供される持ち上げ力が、ノズルからキャップを外すのに非常に有用である。というのは、キャップのノズルへの接着が起こり得る位置で、ノズルの近傍に長手方向に力が提供されるからである。
【００９３】
図１１は、ノズル１上に嵌め込まれ、スナップ式で係合させたキャップ１００の斜視図を示す。図から分かるように、矢印１２０と矢印６２は一直線にそろえられる。さらに、協働部分（リブ）１１０が、ノズルの外壁（および傾斜面９ａ、９ｂ）を越えて突出する。矢印以外に、キャップおよびノズルの輪郭形成した形状が、キャップとノズルがかみ合う方向の視覚的表示を与えることも明白である。
【００９４】
図１２は、キャップ１００およびノズル１を組み立てた配置構成の断面図を示す。この配置構成では、キャップの協働部分はそれぞれ、ノズルの傾斜面の中心下位部分に嵌め込まれる。図１２は、嵌合位置をよく示している。
【００９５】
図１２の組み立てた位置で、ノズル上のピン１３２が導管６の出口ポート７に嵌め込まれる。ノズルの一部、つまりノズル部分３０はキャップの外側にある。ノズルの残りの部分（部分３１〜３３）はキャップの内側にある。特に、肩４１（その関連する傾斜面１０ａ、１０ｂ、１１ａ、１１ｂと共に）はノズルの内部に配置される。キャップ１００、および特にその口１０４は、壁６０とノズルの間にあるノズルの環状座部６１に据え付けられる。図１２で、キャップ１００の口１０４は、壁６０の内面とかみ合う傾斜した表面１６０を有することが分かる。
【００９６】
このように、ノズル上の係合構造８ａ、８ｂを越えてスナップ嵌めされている環状係合カラー１４０が、キャップを所定の位置に保持する。キャップ１００とノズル１の相対的な回転は、すべての協働部分を傾斜表面に作用させ、これは次には、カラー１４０をノズル上の係合構造８ａ、８ｂを越えて押し戻すのに十分である。
【００９７】
図１３から図１６は、図１から図５のノズル構造と非常に類似した本発明のノズルの代替実施形態を示す。これに関しては、簡潔のために、構造の主要な違いのみを説明する。したがって、ノズルは同じように機能することが認識される。
【００９８】
ノズル２０１は傾斜面２０９ｂ（対向する傾斜面は図示せず）を有し、これは中心下位点２５０の周囲に２つの斜面２５１を有する。この実施形態では、斜面の一方（左側）に、ノズルに止め部２６０が設けられている。止め部は、傾斜面の斜面２５１に沿ったノズルの段差によって形成される。図２１に示した組立構成から最もよく分かるように、キャップ３００（特にリブ３１０の側壁４００）が止め部２６０に突き当たる。ノズルの反対側は、図１５の平面図から最もよく分かるような図示の側面と構造が対応している。
【００９９】
相互係合構造２０８ｂは、実質的に横向きの部分２８０および傾斜部分２８１で形成されている。構造２０８ｂの形状は、キャップ上の対応する相互係合構造が、構造２０８ｂ上に嵌め込むことができるか、その下に配置されるように回転することができるような形状である。押し込むか、捻り込むことにより、キャップおよびノズルは、最終的に、図２１に示す組立構成になる。構造２０８ｂは、斜面２５１の全体的輪郭を辿り、したがってキャップ上の対応する相互係合構造は、キャップが係合位置に入ると、構造２０８ｂによって設けられたガイド部を辿る。
【０１００】
図１３の実施形態には、概ね円筒形のノズル部分２８２がさらに設けられる。円筒形部分２８２は、ノズル上へキャップをさらに良好にガイドするために、キャップ内の内部リブと協働するように設けられる。
【０１０１】
加えて、例えば接着剤製品の滴を出すなど、使用者によるさらに正確な取り出しを可能にする、直径が減少したディスペンス用部分２８３が設けられている。図１６は、図２２と関連して以下でさらに詳細に説明するノズル２０１の断面図を示す。
【０１０２】
対応するキャップ３３０を図１７から図２０に図示する。構造は図６から図１２のそれと非常に類似し、同様に機能することが認識される。図２０から最もよく分かるように、主要な違いはキャップ３００の内部である。
【０１０３】
図示した実施形態では、ピン３２が前の実施形態のそれよりわずかに長く、ノズルのディスペンス用末端２８３の構造の変化に鑑みて適合させられていることが認識される。さらに、２つの異なるタイプの内部リブ、つまり３３０と番号を付けたものと３３１と番号を付けたものが設けられている。上記のリブ１３１に類似した方法で傾斜作用を助けるように設計された２つのより長いリブ３３１がある。リブ３３１は、リブ３３０のそれと対応する部分３４０を有し、ノズルが適応できるように高さが減少したリブ部分３４１へと段差３２にて移行する。部分３４０またはリブ３３１を数えると、リブ３３０の形態のリブが６つある。これらの６つのリブは、ノズル上の中心にキャップを置き、キャップとノズルの間の安定性を提供するように作用する。傾斜作用で作動するように、内部傾斜リム３５０も配置されている。
【０１０４】
相互係合構造３６０は、キャップ３００内に一体形成される。この構造は、実質的に横向きのリブ部分３６１、およびこれに対して斜めである傾斜部分３６２（小さな角度で下向きに傾斜している）を有する。構造３６０は、ノズル２０１上の構造２０８ｂと協働するように配置されている。特に図１８および図２１から認識されるように、リップ３１０にはそれぞれ、キャップ上の止め部２６０に突き当たる止め部４００が設けられている。
【０１０５】
組立構成を図２２に図示する。この図では、キャップ３００上の構造３６０（対向する構造３６４）が構造２０８ａおよび対向する構造２０８ｂと係合し、その下の所定の位置に保持されることが分かる。キャップは、スナップ式でパチンと外すか、捻ることによって、ノズルから係合解除することができる。同じメカニズムでそれを適用することもできる。
【０１０６】
明快さのために、別個の実施形態という状況で説明されている本発明の特定の特徴は、１つの実施形態において組み合わせて設けてもよいことが認識される。逆に、簡潔さのために、１つの実施形態という状況で説明されている本発明の様々な特徴を別個に、または任意の適切な部分組み合わせで設けることもできる。
【０１０７】
「備える」という言葉および「有する／含む」という言葉は、本明細書で本発明に関して使用する場合、述べられた特徴、整数、ステップまたは構成要素の存在を明記するために使用されるのであり、１つ以上の他の特徴、整数、ステップ、構成要素またはその群の存在または追加を排除するものではない。
【図面の簡単な説明】
【０１０８】
【図１】本発明のノズルの斜視図を示す。
【図２】図１のノズルの、その第１側面からの側面図を示す。
【図３】その第２側面からの側面図を示す。
【図４Ａ】（図３と同じ方向で）その平面図を示す。
【図４Ｂ】（図３と同じ方向で）その底面図を示す。
【図５】図４Ａで示したＡ−Ａ線に沿った断面図を示す。
【図６】本発明のキャップの斜視図を示す。
【図７】図６のキャップの、その第１側面からの側面図を示す。
【図８】その第２側面からの側面図を示す。
【図９Ａ】（図７と同じ方向で）その平面図を示す。
【図９Ｂ】（図７と同じ方向で）その底面図を示す。
【図１０】図９Ａで示したＡ−Ａ線に沿った断面図を示す。
【図１１】その上に嵌め込み、それと相互係合する図６のキャップを有する図１のノズルを備えるアセンブリの斜視図を示す。
【図１２】図１１のアセンブリの断面図を示す。
【図１３】本発明のノズルの代替実施形態の斜視図を示す。
【図１４】図１３のノズルの側面図を示す。
【図１５】図１３のノズルの平面図を示す。
【図１６】図１３のノズルの断面図を示す。
【図１７】本発明のキャップの代替実施形態の斜視図を示す。
【図１８】図１７のキャップの側面図を示す。
【図１９】図１７のキャップの平面図を示す。
【図２０】図１７のキャップの断面図を示す。
【図２１】図１３のノズル上にある図１７のキャップ、すなわちキャップ・ノズルアセンブリの側面図を示す。
【図２２】図２１のアセンブリの断面図を示す。
【図１】
2007522047.tif 000003
【図２】
2007522047.tif 000004
【図３】
2007522047.tif 000005
【図４Ａ】
2007522047.tif 000006
【図４Ｂ】
2007522047.tif 000007
【図５】
2007522047.tif 000008
【図６】
2007522047.tif 000009
【図７】
2007522047.tif 000010
【図８】
2007522047.tif 000011
【図９Ａ】
2007522047.tif 000012
【図９Ｂ】
2007522047.tif 000013
【図１０】
2007522047.tif 000014
【図１１】
2007522047.tif 000015
【図１２】
2007522047.tif 000016
【図１３】
2007522047.tif 000017
【図１４】
2007522047.tif 000018
【図１５】
2007522047.tif 000019
【図１６】
2007522047.tif 000020
【図１７】
2007522047.tif 000021
【図１８】
2007522047.tif 000022
【図１９】
2007522047.tif 000023
【図２０】
2007522047.tif 000024
【図２１】
2007522047.tif 000025
【図２２】
2007522047.tif 000026
【国際調査報告】
2007522047.tif 000027
2007522047.tif 000028
2007522047.tif 000029